(57)【要約】サンプルの再配列、および、所望されないサンプルの破棄のために、アドレス調節を実施することによって信号検出性が高められる。そのような再配列は、受信サンプルの時間順が乱され、および／または破壊された場合に利用される。これは少なくとも３つの状況で起きる。第１の状況は、チャネル遅れが、サイクリック・プレフィクスの長さ未満である場合である。第２の状況は、チャネル遅れが、サイクリック・プレフィクスの長さよりも長いが、サイクリック・プレフィクスの長さの２倍よりも短い場合である。第３の状況は、チャネル遅延が、サイクリック・プレフィクスの長さの２倍よりも長い場合である。第１および第２の状況では、適切な順序に戻すためのサンプルの再配列が実行される。第２および第３の状況では、破壊されたサンプルの、ゼロ・サンプルと交換が実行される。
2011525751.tif 000002
【特許請求の範囲】
【請求項１】
サイクリックな拡張を用いたサンプル再配列のための方法であって、
コンポジット信号を受信することと、
前記コンポジット信号のサイクリック・プレフィクスを削除することと、
変換処理を実行することと、
チャネル遅れを分析することと、
前記分析に基づいて、データ・サンプル再配列を選択的に利用することと
を備える方法。
【請求項２】
各シンボルのサイクリック・プレフィクスを削除することと、
前記チャネル遅れが、前記コンポジット信号のサイクリック・プレフィクスの持続時間よりも短いと前記分析が示す場合、モジュラ演算を適用することと
をさらに備える請求項１に記載の方法。
【請求項３】
前記コンポージット信号の失われたデータを、複素数のゼロと交換することと、
前記チャネル遅れが、前記サイクリック・プレフィクスの持続時間よりも長いが、前記サイクリック・プレフィクスの持続時間の２倍よりも短いと前記分析が示す場合、通常のラップ・アラウンド（wrap around）に加えて、直線的な順序付け（straight order）を適用することと
をさらに備える請求項１に記載の方法。
【請求項４】
前記チャネル遅れが、前記サイクリック・プレフィクスの持続時間の２倍よりも長いことを前記分析が示す場合、失われたデータを、複素数のゼロと交換することをさらに備える請求項１に記載の方法。
【請求項５】
前記コンポジット信号は、ベアリング信号とキャリー・オン信号とを備える請求項１に記載の方法。
【請求項６】
前記変換処理は、高速フーリエ変換および逆高速フーリエ変換である請求項１に記載の方法。
【請求項７】
前記コンポジット信号は、ＯＦＤＭベアリング信号とＣＤＭＡキャリー・オン信号とを含む請求項１に記載の方法。
【請求項８】
無線通信装置であって、
コンポジット信号を受信し、前記コンポジット信号のサイクリック・プレフィクスを削除し、変換処理を実行し、チャネル遅れを分析し、前記分析に基づいて、データ・サンプル再配列を適用するプロセッサと、
前記プロセッサによってなされた分析に関連する情報を格納するメモリと
を備える無線通信装置。
【請求項９】
前記プロセッサはさらに、各シンボルのサイクリック・プレフィクスを削除し、前記チャネル遅れが、前記コンポジット信号のサイクリック・プレフィクスの長さよりも短いと前記分析が示す場合、モジュラ演算を適用するように構成された請求項８に記載の装置。
【請求項１０】
前記プロセッサはさらに、失われたデータを、複素数のゼロと交換し、前記チャネル遅れが、前記サイクリック・プレフィクスの長さよりも長いが、前記サイクリック・プレフィクスの長さの２倍よりも短いと前記分析が示す場合、通常のラップ・アラウンド（wrap around）に加えて、直線的な順序付け（straight order）を適用する請求項８に記載の装置。
【請求項１１】
前記プロセッサはさらに、前記チャネル遅れが、前記サイクリック・プレフィクスの長さの２倍よりも長いことを前記分析が示す場合、失われたデータを、複素数のゼロと交換する請求項８に記載の装置。
【請求項１２】
前記コンポジット信号は、ベアリング信号とキャリー・オン信号とを備える請求項８に記載の装置。
【請求項１３】
前記変換処理は、高速フーリエ変換および逆高速フーリエ変換である請求項８に記載の装置。
【請求項１４】
前記コンポジット信号は、ＯＦＤＭベアリング信号とＣＤＭＡキャリー・オン信号とを含む請求項８に記載の装置。
【請求項１５】
信号検知性を高めるためにアドレス調節を実行する無線通信装置であって、
コンポジット信号を受信する手段と、
前記コンポジット信号のサイクリック・プレフィクスを削除する手段と、
変換処理を実行する手段と、
チャネル遅れを分析する手段と、
前記分析に基づいて、データ・サンプル再配列を選択的に利用する手段と
を備える無線通信装置。
【請求項１６】
各シンボルのサイクリック・プレフィクスを削除する手段と、
前記チャネル遅れが、前記サイクリック・プレフィクスの持続時間よりも短いと前記分析する手段が示す場合、モジュラ演算を適用する手段と
をさらに備える請求項１５に記載の装置。
【請求項１７】
前記コンポジット信号の失われたデータを、複素数のゼロと交換する手段と、
前記チャネル遅れが、前記サイクリック・プレフィクスの持続時間よりも長いが、前記サイクリック・プレフィクスの持続時間の２倍よりも短いと前記分析する手段が示す場合、通常のラップ・アラウンド（wrap around）に加えて、直線的な順序付け（straight order）を適用する手段と
をさらに備える請求項１５に記載の装置。
【請求項１８】
前記チャネル遅れが、前記サイクリック・プレフィクスの持続時間の２倍よりも長いことを前記分析する手段が示す場合、失われたデータを、複素数のゼロと交換する手段をさらに備える請求項１５に記載の装置。
【請求項１９】
前記コンポジット信号は、ベアリング信号とキャリー・オン信号とを備える請求項１５に記載の装置。
【請求項２０】
前記変換処理は、高速フーリエ変換および逆高速フーリエ変換である請求項１５に記載の装置。
【請求項２１】
前記コンポジット信号は、ＯＦＤＭベアリング信号とＣＤＭＡキャリー・オン信号とを含む請求項１５に記載の装置。
【請求項２２】
サイクリックな拡張を用いたサンプル再配列のための命令群を格納した機械読取可能媒体であって、
ベアリング信号とキャリー・オン信号とを備えるコンポジット信号を受信することと、
前記コンポジット信号のサイクリック・プレフィクスを削除することと、
ディスクリート・フーリエ変換処理と逆ディスクリート・フーリエ変換処理とを実行することと、
チャネル遅れを分析することと、
前記分析に基づいて、データ・サンプル再配列を選択的に利用することと
を備える機械読取可能媒体。
【請求項２３】
各シンボルのサイクリック・プレフィクスを削除することと、
前記チャネル遅れが、前記サイクリック・プレフィクスの持続時間よりも短いと前記分析が示す場合、モジュラ演算を適用することと
をさらに備える請求項２２に記載の機械読取可能媒体。
【請求項２４】
前記コンポジット信号の失われたデータを、複素数のゼロと交換することと、
前記チャネル遅れが、前記サイクリック・プレフィクスの持続時間よりも長いと前記分析が示す場合、通常のラップ・アラウンド（wrap around）に加えて、直線的な順序付け（straight order）を選択的に適用することと
をさらに備える請求項２２に記載の機械読取可能媒体。
【請求項２５】
無線通信システムにおける装置であって、
ＯＦＤＭベアリング信号とＣＤＭＡキャリー・オン信号とを備えるコンポジット信号を受信し、
前記コンポジット信号のサイクリック・プレフィクスを削除し、
高速フーリエ変換処理と逆高速フーリエ変換処理とを実行し、
チャネル遅れを分析し、
前記分析に基づいて、データ・サンプル再配列を選択的に利用する
ように構成されたプロセッサを備える装置。
【発明の詳細な説明】
【技術分野】
【０００１】
以下の記載は、一般に、通信システムに関し、さらに詳しくは、無線通信ネットワークにおける通信を改善することに関する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
無線通信システムは、世界中の大多数の人が通信する一般手段になった。無線通信デバイスは、カスタマのニーズを満足し、かつ、可搬性および利便性を高めるために、より小型かつより高機能になった。例えばセルラ電話のようなモバイル・デバイスにおける処理能力の増大は、無線ネットワーク送信システムにおける需要の増加をもたらした。
【０００４】
（例えば、周波数分割技術、時分割技術、および符号分割技術を適用する）典型的な無線通信ネットワークは、有効通信範囲領域を提供する１または複数の基地局と、有効通信範囲領域内でデータの送信および受信を行う１または複数のモバイル（例えば無線）端末を含む。一般的な基地局は、サービスをブロードキャスト、マルチキャスト、および／またはユニキャストするために、複数のデータ・ストリームを同時送信しうる。ここで、データ・ストリームは、モバイル端末に関心のある独立した受信でありうるデータのストリームである。その基地局の有効通信範囲領域内のモバイル端末は、コンポジット・ストリームによって伝送される１つ、複数、あるいはすべてのデータ・ストリームを受信することに興味を有しうる。同様に、モバイル端末は、基地局あるいは別のモバイル端末へデータを送信しうる。
【０００５】
ある信号フォーマットの信号が、別の信号フォーマットで送信される場合、この信号の受信サンプルの時間順は、歪められ、および／または、乱されうる。これは、通信の遅れ、および／または、通信の失敗に結び付く恐れがある。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の態様および対応する開示にしたがって、信号検出性を高めるために、サンプルを再配列し、所望されないサンプルを破棄するアドレス調節を実施することに関連するさまざまな態様が記載される。
【０００８】
態様によるものは、サイクリックな拡張を用いたサンプル再配列のための方法である。この方法は、コンポジット信号を受信することと、コンポジット信号のサイクリック・プレフィクスを削除することとを含みうる。変換処理が実行され、チャネル遅れが分析される。この方法はさらに、この分析に基づいて、データ・サンプル再配列を選択的に利用することを含みうる。
【０００９】
別の態様は、プロセッサとメモリとを含む無線通信装置に関する。このプロセッサは、コンポジット信号を受信し、コンポジット信号のサイクリック・プレフィクスを削除しうる。このプロセッサはさらに、変換処理を実行し、チャネル遅れを分析し、この分析に基づいてデータ・サンプル再配列を適用しうる。メモリは、プロセッサによってなされた分析に関連する情報を格納しうる。
【００１０】
さらなる態様は、信号検出性を高めるために、アドレス調節を実施する無線通信装置に関する。この装置は、コンポジット信号を受信する手段と、コンポジット信号のサイクリック・プレフィクスを削除する手段とを含む。この装置はまた、変換処理を実行する手段と、チャネル遅れを分析する手段と、この分析に基づいてデータ・サンプル再配列を利用する手段とを含みうる。
【００１１】
さらに別の態様は、サイクリックな拡張を用いたサンプル再配列のための機械実行可能命令群を格納した機械読取可能媒体に関する。これら命令群は、ベアリング信号およびキャリー・オン信号を備えるコンポジット信号を受信することと、コンポジット信号のサイクリック・プレフィクスを削除することと、ディスクリート・フーリエ変換処理および逆ディスクリート・フーリエ変換処理を実行することとを含みうる。これら命令群はまた、チャネル遅れを分析することと、この分析に基づいて、データ・サンプル再配列を選択的に利用することとを含みうる。
【００１２】
無線通信システムにおける別の態様は、プロセッサを含む装置に関する。このプロセッサは、ＯＦＤＭベアリング信号とＣＤＭＡキャリー・オン信号とを備えるコンポジット信号を受信するように構成されうる。このプロセッサはまた、コンポジット信号のサイクリック・プレフィクスを削除するように構成されうる。このプロセッサはまた、高速フーリエ変換処理および逆高速フーリエ変換処理を実行するように構成されうる。さらに、このプロセッサは、チャネル遅れを分析し、この分析に基づいて、データ・サンプル再配列を選択的に利用するように構成されうる。
【００１３】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１４】
【図１】図１は、本明細書に示されたさまざまな態様にしたがう無線通信システムを例示する。
【図２】図２は、１または複数の態様にしたがう多元接続無線通信システムを例示する。
【図３】図３は、サンプルを再配列し、かつ、所望されないサンプルを破棄するアドレス調節を実施するシステムを例示する。
【図４】図４は、サイクリックな拡張を用いた通信システムのためのサンプル再配列を容易にするシステムを例示する。
【図５】図５は、データ・サンプル再配列を利用する３つの遅れケースの図式的な表現を例示する。
【図６】図６は、サイクリックな拡張を用いた通信システムのためのサンプル再配列のための方法を例示する。
【図７】図７は、遅れがサイクリック・プレフィクスの長さ未満である場合、データ・サンプル再配列を利用する方法を例示する。
【図８】図８は、遅れがサイクリック・プレフィクスの長さよりも長い場合、データ・サンプル再配列を利用する方法を例示する。
【図９】図９は、１または複数の開示された態様にしたがって、サイクリックな拡張を用いた通信システムのためのサンプル再配列を容易にするシステムを例示する。
【図１０】図１０は、本明細書で示されたさまざまな態様にしたがって、サイクリックな拡張を用いた通信システムのためのサンプル再配列を容易にするシステムの実例である。
【図１１】図１１は、典型的な無線通信システムを例示する。
【図１２】図１２は、信号検出性を高めるために、アドレス調節を実行するシステムを例示する。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、これら態様の記載を容易にするために、周知の構成およびデバイスが、ブロック図形式で示される。
【００１６】
本願で使用されているように、用語「構成要素」、「モジュール」、「システム」等は、ハードウェア、ファームウェア、ハードウェアとソフトウェアとの組み合わせ、ソフトウェア、実行中のソフトウェアであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【００１７】
さらに、本明細書では、さまざまな態様が、無線端末に関して記載される。無線端末はまた、システム、加入者ユニット、加入者局、移動局、モバイル、モバイル・デバイス、デバイス遠隔局、遠隔端末、アクセス端末、ユーザ端末、端末、無線通信デバイス、ユーザ・エージェント、ユーザ・デバイス、あるいはユーザ機器（ＵＥ）と称されうる。無線端末は、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信装置、ハンドヘルド・コンピューティング・デバイス、衛星ラジオ、および／または、無線システムによって通信するためのその他の処理デバイスでありうる。さらに、本明細書では、さまざまな態様が、基地局に関して記載される。基地局は、無線端末との通信のために利用され、アクセス・ポイント、ノードＢ、あるいはその他のある用語で称されうる。
【００１８】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００１９】
図１を参照して、本明細書で示されたさまざまな態様にしたがう無線通信システム１００が例示される。システム１００は、無線通信信号の受信、および／または１または複数のモバイル・デバイス１０４への送信、および反復等を互いに行う１または複数の基地局１０２を１または複数のセクタに備える。おのおのの基地局１０２は、（例えば、送信アンテナおよび受信アンテナのおのおのについて）複数の送信機チェーンと受信機チェーンを備える。これらチェーンのおのおのは、信号の送信および受信に関連付けられた複数の構成要素（例えば、プロセッサ、変調器、マルチプレクサ、復調器、デマルチプレクサ、アンテナ等）を備えうる。おのおののモバイル・デバイス１０４は、例えば複数入力複数出力（ＭＩＭＯ）システムのために使用されるような１または複数の送信機チェーンおよび受信機チェーンを備えうる。おのおのの送信機チェーンおよび受信機チェーンは、当業者によって認識されるように、信号の送信および受信に関連付けられた複数の構成要素（例えば、例えば、プロセッサ、変調器、マルチプレクサ、復調器、デマルチプレクサ、アンテナ等）を備えうる。
【００２０】
モバイル・デバイス１０４が、ある信号フォーマットの信号を、例えばＯＦＤＭのような別の信号フォーマットで送信する場合、基地局１０８で受信されるこの信号のサンプルの時間順は、乱されるか、および／または、破壊されうる。したがって、基地局１０２は、この信号の検出性を高めるために、サンプルされたデータを再配列し、破壊されたサンプルされたデータを破棄するように構成されうる。異なるタイプの信号フォーマットが利用されうるので、システム１００は、これら複数のフォーマットの適用を考慮したプラットフォームを提供しうる。したがって、システム１００は、これらフォーマットを独立には利用せず、これらフォーマットを選択的にスタックする。
【００２１】
サンプル・データの時間順が乱されるか、および／または、破壊されうる少なくとも３つのケースがある。通信システム１００が遭遇した場合に応じて、適切な動作が講じられうる。時間順が乱されたサンプルは、再配列され、これによって、サンプルは、適切な順番に戻ることができるようになる。サンプルは、破壊されている場合、破棄され、ゼロ・サンプルと交換されうる。開示された態様は、上述した問題が生じる場合には常に、サンプルを再配列し、所望されないサンプルを破棄するアドレス調節を実施する。このようにして、信号検出性が高められる。
【００２２】
図２を参照して、１または複数の態様にしたがう多元接続無線通信システム２００が例示される。無線通信システム２００は、１または複数のユーザ・デバイスに接続する１または複数の基地局を含みうる。おのおのの基地局は、複数のセクタに有効通信範囲を提供する。３セクタ基地局２０２は、多数のアンテナ・グループを含む。１つのグループは、アンテナ２０４、２０６を含み、他のグループは、アンテナ２０８、２１０を含み、第３のグループは、アンテナ２１２、２１４を含む。図によれば、各アンテナ・グループについて２つのアンテナしか示されていないが、おのおののアンテナ・グループについて、それよりも多い、または、少ないアンテナが利用されうる。モバイル・デバイス２１６は、アンテナ２１２、２１４と通信する。ここで、アンテナ２１２、２１４は、順方向リンク２２０でモバイル・デバイス２１６へ情報を送信し、逆方向リンク２１８でモバイル・デバイス２１６から情報を受信する。順方向リンク（すなわちダウンリンク）は、基地局からモバイル・デバイスへの通信リンクを称し、逆方向リンク（すなわちアップリンク）は、モバイル・デバイスから基地局への通信リンクを称する。モバイル・デバイス２２２は、アンテナ２０４、２０６と通信する。ここで、アンテナ２０４、２０６は、順方向リンク２２６でモバイル・デバイス２２２へ情報を送信し、逆方向リンク２２４でモバイル・デバイス２２２から情報を受信する。
【００２３】
通信するように指定された領域および／またはアンテナのおのおののグループは、基地局２０２のセクタと称されうる。１または複数の態様では、アンテナ・グループはおのおの、基地局２０２によってカバーされる領域のセクタにおけるモバイル・デバイスと通信するように設計されている。基地局は、端末と通信するために使用される固定局でありうる。
【００２４】
図３は、サンプルを再配列し、所望されないサンプルを破棄するアドレス調節を実施するシステム３００を例示する。システム３００は、信号検出性を高めるために、受信したサンプルを再配列し、かつ、所望されないサンプルを破棄するために、アドレス調節ソフトウェア／ハードウェア／ファームウェア・デバイスを利用しうる。無線ネットワークには、多くの送信機３０２および受信機３０４が含まれ得るが、認識されるであろうが、単純化の目的のために、単一の受信機３０４に通信データ信号を送信する単一の送信機３０２が例示されている。
【００２５】
システム３００は、受信機３０４と無線通信する送信機３０２を含んでいる。基地局送信機からモバイル・デバイス受信機への通信は順方向リンクと称され、モバイル・デバイス送信機から基地局受信機への通信は逆方向リンクと称される。開示された態様は、ウルトラ・モバイル・ブロードバンド（ＵＭＢ）、ロング・ターム・イボリューション（ＬＴＥ）、およびその他のシステムの逆方向リンク・シグナルで利用されうる。
【００２６】
例えばＣＤＭＡ信号のような信号は、例えばＯＦＤＭ信号のような別の信号フォーマットを用いた別の信号によって伝送されうる。別の信号を伝送するこの信号は、ベアリング信号と称される。したがって、この例において、ＯＦＤＭ信号がベアリング信号である。ベアリング信号によって伝送される信号（例えば、この例ではＣＤＭＡ信号）は、キャリー・オン信号と称される。（例えば、ベアリング信号とキャリー・オン信号との両方からなる）合計信号は、コンポジット信号と称される。
【００２７】
コンポジット信号が、遅れを伴って、送信チャネルで送信される場合、キャリー・オン信号は、あるユニークな信号変化を受ける場合がある。キャリー・オン信号を高い信頼性で復号するために、受信機復号器３０６は、その変化が生じた場合には、変化を、元に戻すように構成されうる。
【００２８】
例としてＣＤＭＡ信号が用いられているが、ベアリング信号は、他のタイプの信号プを伝送しうることが注目されるべきである。したがって、本明細書に開示された態様は、ＣＤＭＡ信号に限定されず、例えばＯＦＤＭ信号フォーマットのもののように、サイクリック・プレフィクスを用いたその他任意のベアリング信号の下で伝送されるその他の信号に適用することが可能である。ベアリング信号として、ＯＦＤＭ信号フォーマットに関連したさまざまな態様が記載されるが、開示された態様は、別の信号を伝送するために使用されうる任意の信号に適用可能であることも注目されるべきである。
【００２９】
キャリー・オン信号は、通常、単一のキャリア信号である。ベアリング信号によって伝送されるために、キャリー・オン信号は、送信機３０２において、少なくとも２つの変換を受ける。これらの変換は、ディスクリート・フーリエ変換（ＤＦＴ）、逆ディスクリート・フーリエ変換、高速フーリエ変換（ＦＦＴ）、および逆高速フーリエ変換（ＩＦＦＴ）を含みうる。ＯＦＤＭ信号以外のベアリング信号のために、ベアリング信号フォーマットに対応する変換が実行されねばならない。
【００３０】
キャリー・オン信号をＤＦＴ領域に変換するようにモディファイア３０８が構成されうる。ＤＦＴ領域変換の後、結果として得られる信号が、ＩＤＦＴプロセッサ３１０への入力部において他の信号と合成されうる。ＩＤＦＴ処理の後、さらなるフィルタおよび送信がなされる前に、コンポジット信号の最終部分が、そのコンポジット信号の先頭部分において繰り返される。これは、コンポジット信号に対するサイクリック・プレフィクスの追加と称される。サイクリック・プレフィクスを備えたコンポジット信号は、遅れを伴う送信チャネルを介して、コミュニケータ３１２によって送信される。
【００３１】
受信機３０４では、例えば、受信信号のサイクリック・プレフィクスが、サイクリック・プレフィクス検出器３１４によって削除されうる。チャネルに遅れがない場合、あるいは、遅れが知られており、かつ、（アクセス・ポイント（ＡＰ）タイミングと称される）送信機３０２と受信機３０４との間の同期が完全である場合、サイクリック・プレフィクスが削除される。
【００３２】
サイクリック・プレフィクスを削除した後、結果として得られた信号が、ＤＦＴプロセッサ３１６によって処理される。キャリー・オン信号に関連付けられたＤＦＴ出力の一部は、デマルチプレクスされる。デマルチプレクスによって得られた信号は、ＩＤＦＴプロセッサ３１８によって処理される。キャリー・オン信号は、ＩＤＦＴ出力で復元される。キャリー・オン信号がＣＤＭＡ信号である場合、キャリー・オン信号に対する相関付けを実行するためにアダマール（Ｈａｄａｍａｒｄ）変換が利用され、相関付けられた出力が復号されて、最終的な情報が得られる。
【００３３】
チャネル遅れが未知である場合、知識が不完全であるか、および／または、同期が不正確であり、ＩＤＦＴ処理後のキャリー・オン信号の時間シーケンスは、送信されたオリジナルの信号とは異なりうる。したがって、信号をより高い信頼性で復号するために、変化を元に戻すために、受信機３０４においてなされるべき動作が存在する。例えば、ＣＤＭＡ信号がＯＦＤＭサイクリック・プレフィクス（ＣＰ）の長さよりも短い未知の遅れを受ける場合、ＩＤＦＴ出力におけるキャリー・オン信号は、その遅れに等しい量まで循環的にシフトしているように見える。言い換えれば、オリジナル・データの最終部分がラップ・アラウンド（wrap around）して、先頭に現れるように見える。
【００３４】
サイクリック・プレフィクスよりも大きな遅れを有する信号の場合、データの一部が失われ、その正確性は、完全には維持されない。この遅れが、サイクリック・プレフィクスの２倍（２＊ＣＰ）よりも長い場合、循環的に一周すると仮定すると、信号を復号することは、実際問題として、一利の得にもならない。データの正確性の喪失を最小限にするようにデータを読み出すことが重要である。信号をより高い信頼性で復号するために、受信機３０４によって実行されるべき動作に関連するさらなる情報が、以下に提供される。
【００３５】
システム３００は、受信機３０４に動作可能に接続されたメモリ３２０を含みうる。メモリ３２０は、ベアリング信号およびキャリー・オン信号を含むコンポジット信号を受信すること、および、ＤＦＴ処理および／またはＩＤＦＴ処理を実行することに関連する情報を格納しうる。いくつかの態様によれば、ＦＦＴ処理およびＩＦＦＴ処理が実行される。メモリはさらに、チャネル遅れを分析することと、チャネル遅れの分析に基づいてデータ・サンプル再配列を選択的に利用することとに関連する情報を格納しうる。さらに、メモリは、通信ネットワークにおいて送信される信号、および受信された信号に関連するその他の適切な情報を格納する。プロセッサ３２２は、通信ネットワークにおけるデータ・サンプル再配列に関連する情報の分析を容易にするために、受信機３０４（および／またはメモリ３２０）と動作可能に接続されうる。プロセッサ３２２は、受信機３０４によって受信された情報を生成および／または分析することに特化されたプロセッサ、システム３００の１または複数の構成要素を制御するプロセッサ、および／または、受信機３０４によって受信された情報の分析および生成と、システム３００の１または複数の構成要素の制御との両方を行うプロセッサでありうる。
【００３６】
メモリ３２０は、受信機３０４と送信機３０２との間の通信の制御等の動作を講じるデータ・サンプル再配列に関連付けられたプロトコルを格納し、もって、システム３００は、本明細書で記載したように、無線ネットワークにおいて、向上された通信を達成するために、格納されたプロトコルおよび／またはアルゴリズムを適用しうる。本明細書に記載されたデータ・ストア（例えば、メモリ）構成要素は、揮発性メモリまたは不揮発性メモリの何れかであるか、あるいは揮発性メモリと不揮発性メモリとの両方を含みうることが認識されるべきである。限定ではなく、例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例として、ＲＡＭは、例えばシンクロナスＲＡＭ（ＤＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。開示された態様のメモリ３２０は、限定されることなく、これらおよびその他の適切なタイプのメモリを備えることが意図されている。
【００３７】
いくつかの態様によれば、データを送信機３０２においてインタリーブ（置換）し、受信機３０４においてデインタリーブ（逆置換）することによって、送信チャネルによるデータ置換を提供するトランシーバ機能が利用されうる。開示された態様は、インタリーブおよびデインタリーブを備えたトランシーバ、あるいは備えていないトランシーバにも適用可能であるが、本詳細説明では、理解の目的のために、インタリーブおよびデインタリーブが含まれていることが注目されるべきである。インタリーブおよびデインタリーブが使用されない場合、その機能は、詳細説明から削除されるが、受信したサンプルを再配列する原理は、本明細書で開示されたものと同じままである。
【００３８】
図４は、サイクリックな拡張を用いた通信システムのためにサンプル再配列を容易にするシステム４００を例示する。送信機では、到来するデータをインタリーブすることによって、データ・サンプル順の置換が開始される。受信機では、図示するように、受信された入力データ４０２が、ＯＦＤＭ手順４０４によって処理される。これらの手順４０４は、サイクリック・プレフィクスの除去、ＤＦＴ処理、ＩＤＦＴ処理、および／または、ベアリング信号フォーマットに対応するその他の処理を含みうる。ＩＤＦＴ処理後のデータは、データ・バッファ４０６内に格納されうる。送信機におけるインタリーバによって開始されたデータ置換は、オリジナルのデータ順に戻すために、デインタリーブすることによって元に戻されうる。これは、デインタリーバ・アドレスＲＯＭテーブル４０８にしたがってＩＤＦＴ出力においてバッファされた受信データを適切に読み出すことによって実行されうる。この読み出されたデータは、その後、次の処理ユニット４１０に送られる。これは、簡略化の目的で、本明細書では説明しない。
【００３９】
図４に例示したケースは、デインタリーブ前にデータがバッファされることを示している。しかしながら、ある場合には、デインタリーブは、デインタリーバ前にデータがバッファされるか否かに依存して、少なくとも２つの別の方法で実行されうる。デインタリーバ前にデータがバッファされていない場合、デインタリーバ・アドレスＲＯＭテーブル４０８は、ランダム置換関数ｐ（ｉ）の逆数を採ることによって取得されるｑ（ｉ）によって記述されるアドレスを含む。数学的には、ｑ（ｐ（ｉ））＝ｉである。このアドレスは、アドレス変更アルゴリズムにアクセスしうるアドレス・ジェネレータ４１０によって適切に生成されうる。
【００４０】
到来するデータは、デインタリーブされ、バッファ内に適切な順番で格納されうる。デインタリーバ前にデータが既にバッファされている場合、デインタリーバ・アドレスＲＯＭテーブル４０８は、Ｐ（ｉ）を含む。バッファされたデータは、ｐ（ｉ）にしたがって適切な順番で読み出され、次の処理ユニット４１４に利用可能になりうる。
【００４１】
図４に例示された場合、ＩＤＦＴ出力データは、チャネルＲＡＭバッファと称されるストレージ内にすでにバッファされている。これは、本明細書で例示され記載された場合であるが、開示された態様は、何れかまたは両方のインタリーブ実装に適用可能である。
【００４２】
チャネルに遅れがない場合、デインタリーバ・アドレスＲＯＭテーブル４０８に格納されたアドレスを用いることによって、オリジナルのキャリー・オン信号を復元するために、チャネルＲＡＭ内のデータが読み出されうる。遅れ送信チャネルに遭遇した場合、チャネルＲＡＭバッファからデータ・サンプルを読み出すために使用される前に、起こりうる乱れを補償することによって、デインタリーブ・アドレスが時間シーケンス順に調節されるべきである。適切なデインタリーブのために補償されたアドレスを生成するために利用されるアルゴリズムが、デインタリーブ・アドレス調節生成アルゴリズムを参照して以下に記載されるだろう。
【００４３】
図５は、データ・サンプル再配列を利用する３つの遅れケースの概要図５００を例示する。第１のケース５０２は、サイクリック・プレフィクスの長さ未満（遅れ＜ＣＰ）である遅れを例示する。第２のケース５０４は、サイクリック・プレフィクスより長く、サイクリック・プレフィクスの２倍よりも短い遅れ（ＣＰ≦遅れ＜２＊ＣＰ）を図示する。第３のケース５０６は、サイクリック・プレフィクスの２倍よりも長い遅れ（２＊ＣＰ≦遅れ）を図示する。
【００４４】
さらに、シンボル０（５０８）、シンボル１（５１０）乃至シンボル７（５１２）とラベルされた８つのＯＦＤＭシンボルが例示されている。ＯＦＤＭシンボルはおのおのの、１２８のサンプルからなるサイクリック・プレフィクスを含んでいる。３つのケース５０２、５０４、５０６は、アクセス・ポイント（ＡＰ）タイミング５１４と称される「完全な」タイミングを有するシナリオと比較されうる。ＡＰタイミング５１４は「完全」であるので、サイクリック・プレフィクスは、適切に削除された場合、受信信号が、適切にキャプチャされるようになる。キャプチャされた信号は、オリジナルのキャリー・オン信号に復元するために、ＤＦＴおよびＩＤＦＴ（または、ベアリング信号フォーマットに対応するその他の変換）によって処理されうる。
【００４５】
遅れが未知であり、信号が、遅れを伴ってキャプチャされる場合、受信サンプルはＤＦＴ処理およびＩＤＦＴ処理後に再配列されるべきである。サイクリック・プレフィクスの長さよりも短い遅れを有する第１のケース５０２を参照すると、ＤＦＴ処理およびＩＤＦＴ処理の後、受信機は、おのおののＯＦＤＭシンボルのサイクリック・プレフィクスを削除することを試みる。遅れがあるので、サイクリック・プレフィクス内に存在する最終サンプル部分がキャプチャされ、データ・シーケンス先頭に現れる。最終サンプルを順に戻すようにサンプルを再配列するために、モジュラ演算が適用されうる。まず、矢印５１６と並んでいるデータ・サンプルに、矢印５１８と並んでいるデータ・サンプルが続く。
【００４６】
遅れがサイクリック・プレフィクスよりも長く、サイクリック・プレフィクスの２倍よりも短い（ＣＰ≦遅れ＜２ＣＰ）第２のケース５０４の場合、サンプルは、矢印５２０、５２２、および５２４の順に配列される。ここでは、矢印５２０、５２２、５２４のおのおのとともに並べられたサンプルが、左から右に移される。矢印５２２と並べられたサンプルは、ゼロ信号サンプルと交換される。
【００４７】
遅れがサイクリック・プレフィクスの２倍よりも大きい（２ＣＰ≦遅れ）第３のケース５０６の場合、サンプルは、矢印５２６、５２８、５３０、および５３２の順に配列される。ここでは、矢印５２６、５２８、５３０、および５３２のおのおのとともに並べられたサンプルが、左から右に移される。矢印５２８、５３０とともに並べられたサンプルは、ゼロ信号サンプルと交換される。
【００４８】
適切なインタリーブのために補償されたアドレスを生成するアルゴリズムが以下に例示される。このアルゴリズムでは、（サイクリック・プレフィクスのない）おのおののＯＦＤＭシンボルのサイズは、１２８である。以下の例では、８つのそのようなＯＦＤＭシンボルが存在する。受信機においてデインタリーブが利用されない場合、読出アドレス（ｒｅａｄｏｕｔＡｄｄｒ）が、デインタリーバ・アドレス［インデクス］（ｄｅｉｎｔｅｒｌｅａｖｅｒＡｄｄｒｅｓｓ［ｉｎｄｅｘ］）の代わりに、インデクスに等しく設定される。  
【表１】
2011525751.tif 000003
【００４９】
上述および図示された典型的なシステムを考慮すると、開示された主題にしたがって実現される方法は、以下のフローチャートを参照してより良く認識されるだろう説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。さらに、後述する方法を実現するために、例示されたすべてのブロックが、必ずしも必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、以下に開示される方法および本明細書全体にわたる方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００５０】
図６は、サイクリックな拡張を用いる通信システムのためのサンプル再配列のための方法６００を例示する。方法６００は、適切に、サンプルの再配列と、所望されないサンプルの破棄のためのアドレス調節の実施を容易にする。したがって、信号検知性が高められうる。
【００５１】
方法６００は６０２で始まり、ベアリング信号とキャリー・オン信号とを含むコンポジット信号が受信される。このコンポジット信号は、送信機によって順方向リンクで送信され、遅れを含みうる。コンポジット信号の送信中、遅れが生じうる。これは、送信機と受信機との間の距離を含むさまざまな要因の関数でありうる。
【００５２】
６０４では、受信されたコンポジット信号に関連付けられたサイクリック・プレフィクスが削除される。遅れがない場合、あるいは、遅れが知られており、送信機と受信機との間に完全な同期がある場合、サイクリック・プレフィクスの削除がなされる。しかしながら、遅れの時間が知られていなかったり、および／または、送信機と受信機との間の同期が完全ではないような、遅れをもたらす様々な要因により、サイクリック・プレフィクスは、正確ではない場合がある。
【００５３】
６０６では、ベアリング信号フォーマットに対応する変換処理が実行される。態様によれば、（サイクリック・プレフィクスの削除後）結果として得られた信号に対して、ＤＦＴ処理が実行される。キャリー・オン信号に関連付けられたＤＦＴ出力の一部がデマルチプレクサされ、（デマルチプレクシングの後）結果として得られた信号について、ＩＤＦＴ処理が実行される。
【００５４】
チャネル遅れが知られておらず、知識が不完全であるか、および／または、同期が正確ではない状況では、ＩＤＦＴ処理（あるいはベアリング信号フォーマットに対応するその他の処理）後のキャリー・オン信号の時間シーケンスは、送信されたオリジナルの信号とは異なりうる。したがって、６０６では、チャネル遅れが分析される。そのような分析は、チャネル遅れを、アクセス・ポイント（ＡＰ）タイミングと比較することを含みうる。
【００５５】
この分析に基づいて、信号がより高い信頼性で復号されるように、送信されたオリジナルの信号に対する遅れによる変化を調整するための動作が実行されるべきである。したがって、６０８では、データ・サンプル再配列が、チャネル遅れの分析に基づいて選択的に利用される。この利用されたデータ・サンプル再配列は、チャネル遅れの長さの要因でありうる。考慮されるべき３つの異なるケースがある。第１のケースは、チャネル遅れが、サイクリック・プレフィクスの長さ未満である場合である。第２のケースは、この遅れが、サイクリック・プレフィクスの長さよりも長いが、サイクリック・プレフィクスの長さの２倍よりも短い場合である。第３のケースは、この遅れが、サイクリック・プレフィクスの長さの２倍よりも長い場合である。これらの場合のおのおのは、以下のフローチャートを参照してさらに説明される。
【００５６】
図７は、遅れがサイクリック・プレフィクスの長さ未満である場合に、データ・サンプル再配列を利用する方法７００を例示する。この方法７００では、通常のラップ・アラウンド（wrap around）に加えて、直線的な順序付け（straight order）がなされる。７０２では、遅れがサイクリック・プレフィクスの長さよりも短い（遅れ＜ＣＰ）と判定される。７０４では、おのおののＯＦＤＭシンボルのサイクリック・プレフィクスが削除される。遅れがあるので、サイクリック・プレフィクスに存在する最終サンプル部分がキャプチャされ、データ・シーケンスの先頭に現われる。７０６では、最終サンプルを順に並べるために、サンプルを再配列するために、モジュラ演算が適用される。
【００５７】
図８は、遅れがサイクリック・プレフィクスの長さよりも長い場合にデータ・サンプル再配列を利用する方法８００を例示する。遅れがサイクリック・プレフィクスの長さよりも長い場合、２つの状況が発生する。第１のケースは、遅れがサイクリック・プレフィクスの長さ以上であるが、サイクリック・プレフィクスの長さの２倍未満（ＣＰ≦遅れ＜２ＣＰ）である場合である。第２のケースは、遅れが、サイクリック・プレフィクスの長さの２倍以上（２ＣＰ≦遅れ）である場合である。
【００５８】
第１のケースでは、方法８００は８０２で始まり、遅れが、サイクリック・プレフィクスよりも長いと判定される。８０４では、遅れが、サイクリック・プレフィクスの長さの２倍を超えるかが判定される。遅れがサイクリック・プレフィクスの長さの２倍未満である場合（「ＮＯ」）、方法８００は８０６に進み、失われたデータが、複素数のゼロと交換される。８０８では、通常のラップ・アラウンドに加えて、直線的な順序付けが適用される。
【００５９】
第２のケース（２ＣＰ≦遅れ）では、８０２において、遅れが、サイクリック・プレフィクスよりも長いと判定される。８０４では、遅れが、サイクリック・プレフィクスの長さの２倍を超えているかが判定される。この状況では、遅れは、サイクリック・プレフィクス長さよりも長い（「ＹＥＳ」）ので、方法８００は８１０に進み、失われたデータが、複素数のゼロと交換される。
【００６０】
図９を参照して、開示された態様の１または複数にしたがって、サイクリックな拡張を用いた通信システムのためのサンプル再配列を容易にするシステム９００が例示される。システム９００は、ユーザ・デバイスに存在しうる。システム９００は、例えば受信アンテナから信号を受信する受信機９０２を備える。受信機９０２は、受信した信号について例えばフィルタ、増幅、ダウンコンバート等の一般的な動作を実行しうる。受信機９０２はまた、このように調整された信号をデジタル化して、サンプルを得る。復調器９０４は、おのおののシンボル周期に受信シンボルを取得するのみならず、受信シンボルをプロセッサ９０６に提供する。
【００６１】
プロセッサ９０６は、受信機９０２によて受信された情報の分析、および／または、送信機９０８による送信のための情報の生成に特化されたプロセッサでありうる。それに加えて、または、その代わりに、プロセッサ９０６は、ユーザ・デバイス９００の１または複数の構成要素を制御し、受信機９０２によって受信された情報を分析し、送信機９０８による送信のための情報を生成し、および／または、ユーザ・デバイス９００の１または複数の構成要素の制御を行いうる。プロセッサ９０６は、さらなるユーザ・デバイスとの通信を調整するコントローラ構成要素を含みうる。
【００６２】
ユーザ・デバイス９００はさらに、メモリ９０８を備えうる。このメモリ９０８は、プロセッサ９０６と動作可能に接続され、通信およびその他任意の適切な情報を調整することに関連する情報を格納しうる。メモリ９１０は、サンプル再配列に関連付けられたプロトコルを格納しうる。本明細書に記載されたデータ格納（例えば、メモリ）構成要素は、揮発性メモリまたは不揮発性メモリの何れかであるか、あるいは、揮発性メモリと不揮発性メモリとの両方を含みうることが認識されるだろう。限定するのではなく、一例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題とするシステムおよび／または方法のメモリ９０８は、限定されることなく、これらメモリ、およびその他任意の適切なタイプのメモリを備えることが意図されている。ユーザ・デバイス９００はさらに、シンボル変調器９１２と、変調された信号を送信する送信機９０８とを備えうる。
【００６３】
図１０は、本明細書に記載されたさまざまな態様にしたがってサイクリックな拡張を用いる通信システムのためのサンプル再配列を容易にするシステム１０００の実例である。システム１０００は、基地局またはアクセス・ポイント１００２を備える。図示されるように、基地局１００２は、受信アンテナ１００６によって１または複数のユーザ・デバイス１００４から信号を受信し、送信アンテナ１００８によって１または複数のユーザ・デバイス１００４に送信する。
【００６４】
基地局１００２は、アンテナ１００６から情報を受信する受信機１０１０を備えている。この受信機１０１０は、受信した情報を復調する復調器１０１２と動作可能に関連付けられている。復調されたシンボルは、メモリ１０１６に接続されたプロセッサによって分析される。メモリ１０１６は、ユニキャスト波形に組み込まれたブロードキャスト−マルチキャスト波形に関連する情報を格納する。変調器１０１８は、送信アンテナ１００８を介して送信機１０２０によってユーザ・デバイス１００４へなされる送信のための信号を多重化しうる。
【００６５】
プロセッサ１０１４はさらに、サイクリック・プレフィクス検出器１０１６に結合される。受信機１０１０は、コンポジット信号を受信し、受信した信号のサイクリック・プレフィクスが、サイクリック・プレフィクス検出器１０１６によって削除されうる。変換処理がプロセッサ１０１４によってなされ、チャネル遅れが分析される。この分析に基づいて、データ・サンプル再配列が選択的に適用されうる。
【００６６】
図１１は、典型的な無線通信システム１１００を例示する。無線通信システム１１００は、簡潔さの目的のため、１つの基地局および１つの端末しか示していない。しかしながら、システム１１００は、複数の基地局またはアクセス・ポイント、および／または、複数の端末またはユーザ・デバイスを含むことができ、ここで、さらなる基地局および／または端末は、以下に説明する典型的な基地局および端末と実質的に同一であるかあるいは異なりうることが認識されるべきである。それに加えて、基地局および／または端末は、その間の無線通信を容易にするために、本明細書に記載されたシステムおよび／または方法を適用しうることが認識されるべきである。
【００６７】
図１１に示すように、ダウンリンクにおいて、アクセス・ポイント１１０５では、送信（ＴＸ）データ・プロセッサ１１１０が、トラフィック・データを受信、フォーマット、符号化、インタリーブ、および変調（またはシンボル・マップ）し、変調シンボル（「データ・シンボル」）を提供する。シンボル変調器１１１５は、データ・シンボルおよびパイロット・シンボルの受信および処理を行い、シンボルのストリームを提供する。シンボル変調器１１１５は、データ・シンボルおよびパイロット・シンボルを多重化し、Ｎ個の送信シンボルからなるセットを得る。送信シンボルはおのおのの、データ・シンボル、パイロット・シンボル、あるいは０値の信号でありうる。パイロット・シンボルは、おのおののシンボル期間内に連続的に送信されうる。パイロット・シンボルは、周波数分割多重化（ＦＤＭ）、直交周波数分割多重化（ＯＦＤＭ）、時分割多重化（ＴＤＭ）、周波数分割多重化（ＦＤＭ）、または符号分割多重化（ＣＤＭ）されうる。
【００６８】
送信機ユニット（ＴＭＴＲ）１１２０は、シンボルのストリームを受信し、１または複数のアナログ信号に変換する。さらに、これらアナログ信号を調整（例えば、増幅、フィルタ、および周波数アップコンバート）し、無線チャネルによる送信のために適切なダウンリンク信号を生成する。その後、ダウンリンク信号は、アンテナ１１２５を介して端末へ送信される。端末１１３０では、アンテナ１１３５が、このダウンリンク信号を受信し、この受信信号を、受信機ユニット（ＲＣＶＲ）１１４０に提供する。受信機ユニット１１４０は、この受信信号を調整（例えば、フィルタ、増幅、および周波数ダウンコンバート）し、調整された信号をデジタル化して、サンプルを得る。シンボル復調器１１４５は、Ｎ個の受信シンボルを取得し、これら受信シンボルを、チャネル推定のためにプロセッサ１１５０へ提供する。シンボル復調器１１４５はさらに、ダウンリンクの周波数応答推定値をプロセッサ１１５０から受け取り、受け取ったデータに対してデータ復調を実行し、データ・シンボル推定値を得る（これらは、送信されたデータ・シンボルの推定値である）。そして、これらデータ・シンボル推定値を、ＲＸデータ・プロセッサ１１５５へ提供する。ＲＸデータ・プロセッサ１１５５は、これらデータ・シンボル推定値を復調（すなわち、シンボル・デマップ）し、デインタリーブし、復号することにより、送信されたトラフィック・データを復元する。シンボル復調器１１４５およびＲＸデータ・プロセッサ１１５５による処理は、アクセス・ポイント１１０５における、シンボル変調器１１１５およびＴＸデータ・プロセッサ１１１０による処理に対して相補的である。
【００６９】
アップリンクでは、ＴＸデータ・プロセッサ１１６０が、トラフィック・データを処理し、データ・シンボルを提供する。シンボル変調器１１６５は、このデータ・シンボルを受け取り、パイロット・シンボルとともに多重化し、変調を実行し、シンボルのストリームを提供する。その後、送信機ユニット１１７０が、このシンボルのストリームを受け取り処理することにより、アップリンク信号を生成する。このアップリンク信号は、アンテナ１１３５によってアクセス・ポイント１１０５へ送信される。
【００７０】
アクセス・ポイント１１０５では、端末１１３０からのアップリンク信号がアンテナ１１２５によって受信され、受信機ユニット１１７５によって処理されて、サンプルが得られる。シンボル復調器１１８０はその後、これらサンプルを処理し、アップリンクのために、これら受信したパイロット・シンボルおよびデータ・シンボルを提供する。ＲＸデータ・プロセッサ１１８５は、これらデータ・シンボル推定値を処理し、端末１１３０によって送信されたトラフィック・データを復元する。プロセッサ１１９０は、アップリンクで送信しているアクティブな各端末のチャネル推定を実行する。
【００７１】
プロセッサ１１９０、１１５０は、アクセス・ポイント１１０５および端末１１３０それぞれにおける動作を指示（例えば、制御、調整、管理）する。プロセッサ１１９０、１１５０のそれぞれは、プログラム・コードおよびデータを格納するメモリ・ユニット（図示せず）に関連付けられうる。プロセッサ１１９０およびプロセッサ１１５０はまた、アップリンクおよびダウンリンクそれぞれのための周波数およびインパルス応答推定値を導出する計算をも実行する。
【００７２】
多元接続システム（例えば、ＦＤＭＡ、ＯＦＤＭＡ、ＣＤＭＡ、ＴＤＭＡ等）の場合、複数の端末が、アップリンクで同時に送信しうる。そのようなシステムの場合、パイロット・サブ帯域が、様々な端末間で共有される。おのおのの端末のパイロット・サブ帯域が、（帯域端を除く）動作帯域全体におよぶ場合、チャネル推定技術が使用されうる。各端末の周波数ダイバーシティを得るために、そのようなパイロット・サブ帯域構成が望ましいだろう。本明細書に記載された技術は、さまざまな手段によって実現される。例えば、これらの技術は、ハードウェア、ソフトウェア、あるいはそれらの組み合わせで実現されうる。ハードウェアによる実現の場合、チャネル推定のために使用される処理ユニットは、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書に記載された機能を実行するように設計されたその他の電子ユニット、または、これらの組み合わせ内に実装される。
【００７３】
ソフトウェアを用いた場合、本明細書に記載された機能を実行するモジュールによって実現される。ソフトウェア・コードは、メモリ・ユニットに格納され、プロセッサ１１９０、１１５０によって実行されうる。
【００７４】
図１２に関して、信号検知性を高めるために、アドレス調節を実行するシステム１２００の例が図示される。例えば、システム１２００は、基地局内に少なくとも部分的に存在しうる。システム１２００は、プロセッサ、ソフトウェア、またはこれらの組み合わせ（例えば、ファームウェア）によって実現される機能を表す機能ブロックでありうる機能ブロックを含むものとして表されていることが認識されるべきである。
【００７５】
システム１２００は、個別または連携して動作する電子構成要素の論理グループ１２０２を含む。例えば、論理グループ１２０２は、コンポジット信号を受信するための電子構成要素１２０４を含む。コンポジット信号は、ベアリング信号およびキャリー・オン信号を含みうる。いくつかの態様によれば、コンポジット信号は、ＯＦＤＭベアリング信号およびＣＤＭＡキャリー・オン信号を含んでいる。
【００７６】
さらに、論理グループ１２０２は、コンポジット信号のサイクリック・プレフィクスを削除するための電子構成要素１２０６を備えうる。論理グループ１２０２はまた、変換処理を実行するための電子構成要素１２０８を含みうる。いくつかの態様によれば、変換処理は、高速フーリエ変換および逆高速フーリエ変換である。さらに、論理グループ１２０２には、チャネル遅れを分析するための電子構成要素１２１０が含まれる。この分析に基づいて、データ・サンプル再配列を選択的に利用するための電子構成要素１２１２も提供される。
【００７７】
いくつかの態様によれば、論理グループ１２０２は、おのおののシンボルのサイクリック・プレフィクスを削除するための電子構成要素と、チャネル遅れがサイクリック・プレフィクスの持続時間よりも短いと分析結果が示す場合には、モジュラ演算を適用するための電子構成要素とを含みうる。別の態様によれば、論理グループ１２０２は、コンポジット信号の喪失データを、複素数のゼロと交換するための電子構成要素と、チャネル遅れがサイクリック・プレフィクスの持続時間よりも長いが、サイクリック・プレフィクスの持続時間の２倍よりも短いと分析結果が示す場合には、通常のラップ・アラウンドに加えて、直線的な順序付けを適用するための電子構成要素とを含みうる。あるいは、または、それに加えて、論理グループ１２０２は、チャネル遅れがサイクリック・プレフィクスの持続時間の２倍よりも長いと分析結果が示す場合には、失われたデータを、複素数のゼロと交換するための電子構成要素を含みうる。
【００７８】
それに加えて、システム１２００は、電子構成要素１２０４、１２０６、１２０８、１２１０またはその他の構成要素に関連付けられた機能を実行するための命令群を保持するメモリ１２１４を含みうる。メモリ１２１４の外側にあるとして示されているが、電子構成要素１２０４、１２０６、１２０８、１２１０、１２１２の１または複数は、メモリ１２１４内に存在しうることが理解されるべきである。
【００７９】
本明細書に記載された態様は、ハードウェア、ソフトウェア、ファームウェア、ミドルウェア、マイクロコード、あるいはこれらの任意の組み合わせによって実現されうることが理解されるべきである。これらシステムおよび／または方法が、ソフトウェア、ファームウェア、ミドルウェアあるいはマイクロコード、プログラム・コードあるいはコード・セグメントで実現される場合、それらは、ストレージ構成要素のような機械読取可能媒体に格納されうる。コード・セグメントは、手順、機能、サブプログラム、プログラム、ルーチン、サブルーチン、モジュール、ソフトウェア・パッケージ、クラス、あるいは命令群、データ構造、あるいはプログラム文の任意の組み合わせを示すことができる。コード・セグメントは、情報、データ、引数、パラメータ、あるいはメモリ・コンテンツの引き渡しおよび／または受け取りを行うことによって、他のコード・セグメントあるいはハードウェア回路に接続されうる。情報、引数、パラメータ、データ等は、メモリ共有、メッセージ引き渡し、トークン引き渡し、ネットワーク送信等を含む任意の適切な手段を用いて引き渡し、転送、または送信される。
【００８０】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００８１】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【００８２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群またはコードを有するコンピュータ読取可能媒体を含むことができる。
【００８３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００８４】
先の開示は例示的な態様について議論しているが、記載された態様、および／または、特許請求の範囲によって定義された態様のスコープから逸脱することなく、さまざまな変形および修正がなされうることが注目されるべきである。したがって、記載された態様は、特許請求の範囲のスコープ内にあるそのようなすべての変形、修正、および変更を含むことが意図される。さらに、記載された態様の要素および／または態様は、単数形で記載または権利主張されているが、単数に対する限定が明確に述べられていないのであれば、複数が考慮される。それに加えて、それ以外であると述べられていないのであれば、任意の態様のうちのすべてまたは一部が、その他任意の態様のすべてまたは一部とともに利用される。
【００８５】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで用いられている用語「または」は、「限定しないまたは」であることが意図されている。
【図１】
2011525751.tif 000004
【図２】
2011525751.tif 000005
【図３】
2011525751.tif 000006
【図４】
2011525751.tif 000007
【図５】
2011525751.tif 000008
【図６】
2011525751.tif 000009
【図７】
2011525751.tif 000010
【図８】
2011525751.tif 000011
【図９】
2011525751.tif 000012
【図１０】
2011525751.tif 000013
【図１１】
2011525751.tif 000014
【図１２】
2011525751.tif 000015
【国際調査報告】
2011525751.tif 000016
2011525751.tif 000017
2011525751.tif 000018